(57)【特許請求の範囲】
【請求項１】
表示パネルおよび前記表示パネルを照明する照明装置を備え、
前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、
前記拡散変調素子はポリマーに液晶分子を分散させた第１光変調層を有し、
前記反射変調素子はポリマーに液晶分子を分散させた第２光変調層を有し、前記拡散変調素子の透過拡散光を第３状態において拡散反射する
表示装置。
【請求項２】
表示パネルおよび前記表示パネルを照明する照明装置を備え、
前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、
更に、前記表示パネルおよび前記照明装置を映像信号に基づいて駆動する駆動部を有し、
前記駆動部は、前記拡散変調素子の第１状態および前記反射変調素子の第３状態を同期させるとともに、前記拡散変調素子の第２状態および前記反射変調素子の第４状態を同期させ、前記拡散変調素子の第１状態および前記反射変調素子の第３状態と前記拡散変調素子の第２状態および前記反射変調素子の第４状態とを交互に繰り返しながら徐々に前記拡散変調素子の第１状態および前記反射変調素子の第３状態の期間を延ばすことにより、前記表示パネルに映像を浮かび上がらせる
表示装置。
【請求項３】
表示パネルおよび前記表示パネルを照明する照明装置を備え、
前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、
更に、前記拡散変調素子と前記反射変調素子との間に吸光変調素子を有し、
前記吸光変調素子は、前記表示パネル側から入射した光を吸収する第５状態と前記表示パネル側から入射した光を前記反射変調素子側に透過する第６状態との間で変調可能である
表示装置。
【請求項４】
表示パネルおよび前記表示パネルを照明する照明装置を備え、
前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、
更に、前記表示パネルおよび前記照明装置を映像信号に基づいて駆動する駆動部を有し、
前記駆動部は、前記拡散変調素子の第２状態および前記反射変調素子の第３状態を同期させるとともに、前記拡散変調素子の第２状態および前記反射変調素子の第４状態を同期させ、前記拡散変調素子の第２状態および前記反射変調素子の第３状態と前記拡散変調素子の第２状態および前記反射変調素子の第４状態とを交互に繰り返しながら徐々に前記拡散変調素子の第２状態および前記反射変調素子の第３状態の期間を延ばすことにより、前記表示パネルに映像を浮かび上がらせる
表示装置。
【請求項５】
表示パネルおよび前記表示パネルを照明する照明装置を備え、
前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、
前記拡散変調素子はマトリクス駆動され、
前記表示パネルおよび前記照明装置を映像信号に基づいて駆動する駆動部を有し、
前記駆動部は、前記反射変調素子の第３状態と第４状態とを繰り返しながら徐々に第３状態の期間を延ばすと共に、前記拡散変調素子の第１状態と第２状態とをマトリクスごとに切り替え駆動して前記拡散変調素子に映像を表示させることにより、前記拡散変調素子に映像を浮かび上らせる
表示装置。
【請求項６】
前記反射変調素子を第３状態と第４状態との間で電気的に変調させる
請求項１乃至５のうちいずれか１つに記載の表示装置。
【請求項７】
前記拡散変調素子を第１状態と第２状態との間で電気的に変調させる
請求項１乃至６のうちいずれか１つに記載の表示装置。
【請求項８】
外光検出部を有し、
前記外光検出部への入射光を解析して前記光源の出射光を補正する外光補正処理部を有する
請求項１乃至７のうちいずれか１つに記載の表示装置。
【請求項９】
前記反射変調素子の背面から外光が入射する
請求項１乃至７のうちいずれか１つに記載の表示装置。
【請求項１０】
前記反射変調素子の背面側に導光体が設けられた
請求項１乃至８のうちいずれか１つに記載の表示装置。
【請求項１１】
前記反射変調素子は第３状態において前記拡散変調素子の透過拡散光を鏡面反射する
請求項２乃至１０のうちいずれか１つに記載の表示装置。
【請求項１２】
前記拡散変調素子はポリマーに液晶分子を分散させた第１光変調層を有する
請求項２乃至１１のうちいずれか１つに記載の表示装置。
【請求項１３】
前記反射変調素子の第３状態の白濁度は、前記拡散変調素子の第１状態の白濁度よりも大きい
請求項１に記載の表示装置。
【請求項１４】
前記拡散変調素子および前記反射変調素子の作用状態を、
前記拡散変調素子の第１状態と前記反射変調素子の第３状態、前記拡散変調素子の第１状態と前記反射変調素子の第４状態、前記拡散変調素子の第２状態と前記反射変調素子の第３状態、および前記拡散変調素子の第２状態と前記反射変調素子の第４状態の組み合わせのうちのいずれかになるように設定する
請求項１に記載の表示装置。
【請求項１５】
前記表示パネルおよび前記照明装置を映像信号に基づいて駆動する駆動部を有し、
前記駆動部は、前記拡散変調素子の第１状態および前記反射変調素子の第３状態を同期させる
請求項１に記載の表示装置。
【請求項１６】
前記表示パネルおよび前記照明装置を映像信号に基づいて駆動する駆動部を有し、
前記駆動部は、前記拡散変調素子の第２状態および前記反射変調素子の第３状態を同期させる
請求項１に記載の表示装置。
【請求項１７】
前記拡散変調素子はマトリクス駆動され、
前記表示パネルおよび前記照明装置を映像信号に基づいて駆動する駆動部を有し、
前記駆動部は、前記反射変調素子を第３状態に維持したまま前記拡散変調素子の第１状態と第２状態とをマトリクスごとに切り替え駆動することにより、前記拡散変調素子に映像を表示させる
請求項１に記載の表示装置。
【請求項１８】
側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、
前記導光板側から光を出射し、
前記拡散変調素子はポリマーに液晶分子を分散させた第１光変調層を有し、
前記反射変調素子はポリマーに液晶分子を分散させた第２光変調層を有し、前記拡散変調素子の透過拡散光を第３状態において拡散反射する
照明装置。
【請求項１９】
表示装置を備え、
前記表示装置は、
表示パネルおよび前記表示パネルを照明する照明装置を備え、
前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、
前記拡散変調素子はポリマーに液晶分子を分散させた第１光変調層を有し、
前記反射変調素子はポリマーに液晶分子を分散させた第２光変調層を有し、前記拡散変調素子の透過拡散光を第３状態において拡散反射する
電子機器。
【請求項２０】
表示装置を備え、
前記表示装置は、
表示パネルおよび前記表示パネルを照明する照明装置を備え、
前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、
更に、前記表示パネルおよび前記照明装置を映像信号に基づいて駆動する駆動部を有し、
前記駆動部は、前記拡散変調素子の第１状態および前記反射変調素子の第３状態を同期させるとともに、前記拡散変調素子の第２状態および前記反射変調素子の第４状態を同期させ、前記拡散変調素子の第１状態および前記反射変調素子の第３状態と前記拡散変調素子の第２状態および前記反射変調素子の第４状態とを交互に繰り返しながら徐々に前記拡散変調素子の第１状態および前記反射変調素子の第３状態の期間を延ばすことにより、前記表示パネルに映像を浮かび上がらせる
電子機器。
【請求項２１】
表示装置を備え、
前記表示装置は、
表示パネルおよび前記表示パネルを照明する照明装置を備え、
前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、
更に、前記拡散変調素子と前記反射変調素子との間に吸光変調素子を有し、
前記吸光変調素子は、前記表示パネル側から入射した光を吸収する第５状態と前記表示パネル側から入射した光を前記反射変調素子側に透過する第６状態との間で変調可能である
電子機器。
【請求項２２】
表示装置を備え、
前記表示装置は、
表示パネルおよび前記表示パネルを照明する照明装置を備え、
前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、
更に、前記表示パネルおよび前記照明装置を映像信号に基づいて駆動する駆動部を有し、
前記駆動部は、前記拡散変調素子の第２状態および前記反射変調素子の第３状態を同期させるとともに、前記拡散変調素子の第２状態および前記反射変調素子の第４状態を同期させ、前記拡散変調素子の第２状態および前記反射変調素子の第３状態と前記拡散変調素子の第２状態および前記反射変調素子の第４状態とを交互に繰り返しながら徐々に前記拡散変調素子の第２状態および前記反射変調素子の第３状態の期間を延ばすことにより、前記表示パネルに映像を浮かび上がらせる
電子機器。
【請求項２３】
表示装置を備え、
前記表示装置は、
表示パネルおよび前記表示パネルを照明する照明装置を備え、
前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、
前記拡散変調素子はマトリクス駆動され、
前記表示パネルおよび前記照明装置を映像信号に基づいて駆動する駆動部を有し、
前記駆動部は、前記反射変調素子の第３状態と第４状態とを繰り返しながら徐々に第３状態の期間を延ばすと共に、前記拡散変調素子の第１状態と第２状態とをマトリクスごとに切り替え駆動して前記拡散変調素子に映像を表示させることにより、前記拡散変調素子に映像を浮かび上らせる
電子機器。
【発明の詳細な説明】
【技術分野】
【０００１】
本技術は、表示パネルを照射するバックライトに好適な照明装置、この照明装置を備えた表示装置および電子機器に関する。
【背景技術】
【０００２】
光変調型の表示パネルはモバイルなどの薄型の情報端末機器の他、電子ペーパーなど多くの電子機器に使用されている。この光変調型の表示パネルは、画素ごとに入射光を遮蔽または透過して映像を表示するものである。光変調型表示パネルの例としては液晶表示パネルが挙げられるが、近年は非液晶タイプの光変調型表示パネルも広く実用化されている。
【０００３】
このような光変調型の表示パネルの背面側には照明装置（バックライト）が設けられ、このバックライトから出射された光が表示パネルに入射して映像が表示される。バックライトには、薄型化に適したエッジライト方式が多用されている。エッジライト方式は、導光板の側面に光源を配置したものであり、光源から導光板に取り込まれた光が全反射しながら導光板内部を進むことにより面発光体として機能する。
【０００４】
この導光板の内部を伝播する光の取り出し方法として、導光板の背面側に拡散変調素子および反射素子をこの順に設ける方法が提案されている（例えば、特許文献１）。拡散変調素子は、入射光に対する作用状態を拡散状態と透過状態とに電気的に切り替え可能なものであり、具体的には、高分子分散型液晶（ＰＤＬＣ：Polymer Dispersed Liquid Crystal）である。一方、反射素子には、例えば白色の拡散反射シートなど高い反射率を有するものを使用する。このような構成の照明装置では、拡散状態の高分子分散型液晶から背面側に透過拡散光が射出されるが、この透過拡散光は拡散反射シートで前面側に戻されるため、光源（導光板）から出射された光を効率的に表示パネルへの照射光として利用することができる。
【先行技術文献】
【特許文献】
【０００５】
【特許文献１】特開２０１０−９２６８２号公報
【発明の概要】
【発明が解決しようとする課題】
【０００６】
しかしながら、より表示の多様性を高めるためには、外光などバックライトの背面側から入射する光（背面光）を利用できるようにすることが望ましい。
【０００７】
本技術はかかる問題点に鑑みてなされたもので、その目的は、背面光の利用が可能な照明装置、この照明装置を備えた表示装置および電子機器を提供することにある。
【課題を解決するための手段】
【０００８】
本技術の照明装置は、側面に光源を有する導光板と、光源からの光を拡散する第１状態と背面側からの入射光を前面側に透過する第２状態との間で変調可能な拡散変調素子と、拡散変調素子の透過拡散光を前面側に反射する第３状態と背面側からの入射光を前面側に透過する第４状態との間で変調可能な反射変調素子と、をこの順に有し、導光板側から光を出射し、拡散変調素子はポリマーに液晶分子を分散させた第１光変調層を有し、反射変調素子はポリマーに液晶分子を分散させた第２光変調層を有し、拡散変調素子の透過拡散光を第３状態において拡散反射するものである。本技術の第１の表示装置は上記照明装置を表示パネルの背面側にバックライトとして備えたものである。本技術の第２の表示装置は表示パネルおよび表示パネルを照明する照明装置を備え、照明装置は、表示パネル側から、その側面に光源を有する導光板と、光源からの光を拡散する第１状態と背面側からの入射光を前面側に透過する第２状態との間で変調可能な拡散変調素子と、拡散変調素子の透過拡散光を前面側に反射する第３状態と背面側からの入射光を前面側に透過する第４状態との間で変調可能な反射変調素子と、をこの順に有し、更に、表示パネルおよび照明装置を映像信号に基づいて駆動する駆動部を有し、駆動部は、拡散変調素子の第１状態および反射変調素子の第３状態を同期させるとともに、拡散変調素子の第２状態および反射変調素子の第４状態を同期させ、拡散変調素子の第１状態および反射変調素子の第３状態と拡散変調素子の第２状態および反射変調素子の第４状態とを交互に繰り返しながら徐々に拡散変調素子の第１状態および反射変調素子の第３状態の期間を延ばすことにより、表示パネルに映像を浮かび上がらせるものである。本技術の第３の表示装置は表示パネルおよび表示パネルを照明する照明装置を備え、照明装置は、表示パネル側から、その側面に光源を有する導光板と、光源からの光を拡散する第１状態と背面側からの入射光を前面側に透過する第２状態との間で変調可能な拡散変調素子と、拡散変調素子の透過拡散光を前面側に反射する第３状態と背面側からの入射光を前面側に透過する第４状態との間で変調可能な反射変調素子と、をこの順に有し、更に、拡散変調素子と反射変調素子との間に吸光変調素子を有し、吸光変調素子は、表示パネル側から入射した光を吸収する第５状態と表示パネル側から入射した光を反射変調素子側に透過する第６状態との間で変調可能であるものである。本技術の第４の表示装置は表示パネルおよび表示パネルを照明する照明装置を備え、照明装置は、表示パネル側から、その側面に光源を有する導光板と、光源からの光を拡散する第１状態と背面側からの入射光を前面側に透過する第２状態との間で変調可能な拡散変調素子と、拡散変調素子の透過拡散光を前面側に反射する第３状態と背面側からの入射光を前面側に透過する第４状態との間で変調可能な反射変調素子と、をこの順に有し、更に、表示パネルおよび照明装置を映像信号に基づいて駆動する駆動部を有し、駆動部は、拡散変調素子の第２状態および反射変調素子の第３状態を同期させるとともに、拡散変調素子の第２状態および反射変調素子の第４状態を同期させ、拡散変調素子の第２状態および反射変調素子の第３状態と拡散変調素子の第２状態および反射変調素子の第４状態とを交互に繰り返しながら徐々に拡散変調素子の第２状態および反射変調素子の第３状態の期間を延ばすことにより、表示パネルに映像を浮かび上がらせるものである。技術の第５の表示装置は表示パネルおよび表示パネルを照明する照明装置を備え、照明装置は、表示パネル側から、その側面に光源を有する導光板と、光源からの光を拡散する第１状態と背面側からの入射光を前面側に透過する第２状態との間で変調可能な拡散変調素子と、拡散変調素子の透過拡散光を前面側に反射する第３状態と背面側からの入射光を前面側に透過する第４状態との間で変調可能な反射変調素子と、をこの順に有し、拡散変調素子はマトリクス駆動され、表示パネルおよび照明装置を映像信号に基づいて駆動する駆動部を有し、駆動部は、反射変調素子の第３状態と第４状態とを繰り返しながら徐々に第３状態の期間を延ばすと共に、拡散変調素子の第１状態と第２状態とをマトリクスごとに切り替え駆動して拡散変調素子に映像を表示させることにより、拡散変調素子に映像を浮かび上らせるものである。本技術の第１〜第５の電子機器はそれぞれ上記第１〜第５の表示装置を備えたものである。
【０００９】
本技術の表示装置、照明装置または電子機器では、反射変調素子が背面側からの入射光を前面側に透過可能であるので、背面光は反射変調素子に遮蔽されることなく前面側に透過する。また、拡散変調素子および反射変調素子の作用状態を、拡散変調素子が光源からの光を拡散し、かつ反射変調素子が拡散変調素子の透過拡散光を前面側に反射する状態に切り替えることにより、光源から出射された光は、効率よく表示パネル側に出射される。
【発明の効果】
【００１０】
本技術の表示装置、照明装置または電子機器によれば、反射変調素子が背面側からの入射光を前面側に透過できるようにしたので、背面光を表示パネル側への照射光として利用することが可能となる。よって、光源からの入射光を効率良く利用した映像表示が可能であると共に、背面光を利用した表示も可能となる。
【図面の簡単な説明】
【００１１】
【図１】本開示の第１の実施の形態に係る表示装置の構成を表す側断面図である。
【図２】図１に示した拡散変調素子の構成を表す図である。
【図３】図１に示した表示装置の回路構成を表すブロック図である。
【図４】図１に示したバックライトからの出射光について説明するための図である。
【図５】比較例１に係る表示装置の構成を表す側断面図である。
【図６】比較例２に係る表示装置の構成を表す側断面図である。
【図７】図６に示した光源から出射された光の経路を模式的に表した図である。
【図８】比較例３に係る表示装置の構成を表す側断面図である。
【図９】図８に示したバックライトからの出射光について説明するための図である。
【図１０】図１に示した表示装置の表示方法について説明するための図である。
【図１１】図１に示した表示装置の駆動方法の一例について説明するための図である。
【図１２】図１に示した表示装置の駆動方法の他の例について説明するための図である。
【図１３】変形例１に係る表示装置の駆動方法について説明するための図である。
【図１４】図１３に示した駆動方法の変形例を表す図である。
【図１５】変形例２に係る表示装置の回路構成を表すブロック図である。
【図１６】本開示の第２の実施の形態に係る表示装置の構成を表す側断面図である。
【図１７】図１６に示した光源からの出射光の経路について説明するための図である。
【図１８】本開示の第３の実施の形態に係る表示装置の構成を表す側断面図である。
【図１９】図１８に示した表示装置に入射する外光の経路について説明するための図である。
【図２０】上記実施の形態の表示装置の適用例１の外観を表す斜視図である。
【図２１】適用例２の外観を表す斜視図である。
【図２２】適用例３の外観を表す斜視図である。
【発明を実施するための形態】
【００１２】
以下、本技術の実施の形態について、図面を参照して詳細に説明する。なお、説明は以下の順序で行う。
１．第１の実施の形態
反射変調素子が鏡面反射（第３状態）をする例
２．変形例１
フィールドシーケンシャルカラー表示がなされる例
３．変形例２
外光補正を行う例
４．第２の実施の形態
反射変調素子が拡散反射（第３状態）をする例
５．第３の実施の形態
吸光変調素子を有する例
【００１３】
〔第１の実施の形態〕
図１は本開示の第１の実施の形態に係る表示装置（表示装置１）の側断面の構成を表したものである。表示装置１は、透過型の表示パネル１０およびバックライト２０を有し、バックライト２０から出射された光を映像信号に応じて変調し、表示パネル１０の映像表示面１Ａに表示するものである。バックライト２０は、表示パネル１０の映像表示面１Ａと反対側（表示パネル１０の背面側）に配置され、表示パネル１０とバックライト２０との間には複数の光学シート（図示せず）が設けられている。この光学シートは例えば、レンズフィルムや、偏光変換により輝度改善を図るシートなどである。
【００１４】
表示パネル１０は、例えば液晶表示パネルであり、一対の透明基板の間に液晶層が設けられたものである。表示パネル１０は、画素ごとにバックライト２０からの入射光を透過あるいは遮蔽する、即ち光変調型のものであれば、非液晶タイプのものであってもよい。
【００１５】
バックライト２０は表示パネル１０側から、導光板２１、拡散変調素子２２および反射変調素子２３をこの順に有している。このバックライト２０は、エッジライト方式の面発光体であり、導光板２１の側面に光源２４が配置されている。
【００１６】
導光板２１は側面から光源２４の光を取り込み、内部での全反射によりこの光を伝播させるものである。この導光板２１は表示パネル１０に対応した形状を有しており、例えば矩形の板状である。導光板２１の形状は、内部を光が全反射して伝播するものであればどのようなものでもよく、例えば、厚みが段階的に変化する形状（例えば楔様）であってもよい。導光板２１の前面または背面のうち、少なくとも一方の面には所定のパターンが設けられ、この所定のパターンによって光源２４の光が散乱して均一化される。バックライト２０に印加する電圧を変調することにより輝度の均一化を行う場合には、この所定のパターンを省略するようにしてもよい。このような導光板２１は、主に例えばポリカーボネート樹脂（ＰＣ），アクリル樹脂またはポリメチルメタクリレート（ＰＭＭＡ）などの透明熱可塑性樹脂により構成されている。
【００１７】
拡散変調素子２２は、入射光に対する作用を例えば電気的に拡散状態（第１状態）と透過状態（第２状態）との間で変調することができるものであり、具体的にはＰＤＬＣやＰＮＬＣ（Polymer Network Liquid Crystal）等である。この拡散変調素子２２は、印加電圧の大きさに応じて、上記拡散状態および透過状態のみならず、拡散状態と透過状態との間の中間状態に調整することも可能である。拡散変調素子２２は導光板２１の背面に空気層を介さずに密着している。拡散変調素子２２は、例えば図２（Ａ）に表したように反射変調素子２３側から、透明基板２２１、下側電極２２２、配向膜２２３、光変調層２２４、配向膜２２５、上側電極２２６および透明基板２２７をこの順に有するものである。
【００１８】
透明基板２２１，２２７は光変調層２２４を支持するものであり、例えば、ガラス板やプラスチックフィルムにより構成されている。下側電極２２２は透明基板２２１のうち、透明基板２２７との対向面に設けられている。この下側電極２２２は例えば帯状であり、複数の下側電極２２２が互いに同一方向に延在している。上側電極２２６は透明基板２２７のうち、透明基板２２１との対向面に設けられている。上側電極２２６も例えば帯状であり、複数の上側電極２２６が互いに同一方向、かつ、下側電極２２２の延在方向と交差（直交）する方向に延在している（図２（Ｂ））。このような形状の下側電極２２２および上側電極２２６を有する拡散変調素子２２では単純マトリクス駆動が可能となるが、例えば、下側電極２２２および上側電極２２６のうち、一方をベタ膜状、他方を微小な方形状としてアクティブマトリクス駆動を行うようにしてもよい。この拡散変調素子２２では下側電極２２２および上側電極２２６の両方をベタ膜状とすることも可能であり、この場合、画面が一様に変調される。上側電極２２６は透明な導電性材料、例えば酸化インジウムスズ（ＩＴＯ：Indium-Tin-Oxide）からなる。下側電極２２２は上側電極２２６と同じ材料により構成してもよく、あるいは不透明な導電性材料により構成されていてもよい。
【００１９】
配向膜２２３、２２５は、光変調層２２４の配向を制御するものである。この配向膜２２３、２２５は、例えば垂直用配向膜であり、シランカップリング材料，ポリビニルアルコール（ＰＶＡ），ポリイミド系材料あるいは界面活性剤等からなる。
【００２０】
光変調層２２４は、電気的に白濁状態（拡散状態）と透明状態（透過状態）との間で変調可能なものであり、例えばバルク２２４Ａとバルク２２４Ａに分散された微粒子２２４Ｂとを含んでいる。この光変調層２２４は、下側電極２２２および上側電極２２６への印加電圧の大きさにより白濁状態と透明状態との間の状態に設定することも可能である。
【００２１】
バルク２２４Ａは、例えばポリマーにより構成されている。バルク２２４Ａは、電場に対して応答しない筋状構造または多孔質構造、あるいは微粒子２２４Ｂよりも応答速度の遅い棒状構造を有している。微粒子２２４Ｂはバルク２２４Ａよりも速い応答速度を有するものであり、例えば液晶分子により構成されている。この光変調層２２４では、例えば電圧無印加時に微粒子２２４Ｂがランダムな方向を向いて入射光を散乱し（拡散状態）、電圧印加時に微粒子２２４Ｂが電場方向に配向して入射光を透過する（透過状態）。
【００２２】
本実施の形態の反射変調素子２３は、入射光に対する作用を反射状態（第３状態）と透過状態（第４状態）との間で変調することができるものである。詳細は後述するが、これにより、バックライト２０は光源２４から出射された光を効率良く表示パネル１０側に照射できると共に、反射変調素子２３の背面側から入射する光（背面光）も利用することが可能となる。
【００２３】
反射変調素子２３は、例えば電気的に反射状態（後述の図４（Ａ）  反射状態２３Ｒ）と透過状態（後述の図４（Ｂ）  透過状態２３Ｔ）とを切り替えることができ、印加電圧の大きさに応じて反射状態と透過状態との間の中間状態にも調整可能なものである。反射状態２３Ｒでは、前面側（拡散変調素子２２側）から入射した光を鏡面反射して導光板２１側（表示パネル１０側）に導き、透過状態２３Ｔでは、背面側（拡散変調素子２２と反対側）から入射した光を導光板２１側に透過する。筐体等の反射変調素子２３の背面側の部材は、反射変調素子２３の背面に光が入射できるよう構成することが好ましい。また、反射変調素子２３の背面に別途、導光体を設けるようにしてもよい。
【００２４】
この反射変調素子２３は、例えばエレクトロクロミック方式により(例えば、特開２００５−２７４６３０号公報、特開２００６−２６７６７０号公報、特開２００８−１５２０７０号公報)、あるいはコレステリック液晶を用いることにより（例えば、FUJIFILM RESEARCH&DEVELOPMENT No.50-2005,p60-63、NATURE VOL 392,2 APRIL,1998,p476-479、SEN'I GAKKAISHI(報文) Vol.60,No.6(2004),p179-182）反射状態２３Ｒと透過状態２３Ｔとを切り替え可能なものである。エレクトロクロミック方式の具体例としては、マグネシウム・ニッケル（Ｍｇ・Ｎｉ）合金あるいはマグネシウム・チタン（Ｍｇ・Ｔｉ）合金等を用いたものが挙げられる。反射変調素子２３の材料はこれらに限定されるものではなく、また、電圧印加以外の方法、例えば磁気的に反射状態と透過状態とを切り替え可能なものであってもよい。反射変調素子２３は、拡散変調素子２２の背面に接着剤等を用いることにより空気層を介さずに密着して設けられている。この反射変調素子２３と拡散変調素子２２とを密着させるための接着剤等には、反射変調素子２３および拡散変調素子２２と屈折率の差が小さいものを使用することが好ましく、屈折率の差が略ないことがより好ましい。
【００２５】
光源２４は、略一列の配光を有する線状光源として構成され、導光板２１の一の側面に設けられている。この光源２４は例えば、ＬＥＤ（Light Emitting Diode），熱陰極管（HCFL:Hot Cathode Fluorescent Lamp）または冷陰極管（CCFL:Cold Cathode Fluorescent Lamp）等からなる。上記の他、光源２４を例えば、有機ＥＬ（Electroluminescence）素子あるいは量子ドット発光子等により構成することも可能である。光源２４をＬＥＤにより構成する際には、例えば、赤色光（波長：６２０〜７５０ｎｍ）を発光する赤色ＬＥＤ，緑色光（波長：４９５〜５７０ｎｍ）を発光する緑色ＬＥＤおよび青色光（波長：４５０〜４９５ｎｍ）を発光する青色ＬＥＤを一列に配置するようにしてもよく、あるいは白色を発光する白色ＬＥＤを用いるようにしてもよい。光源２４を複数の側面に設けるようにしてもよい。光源２４の配置により、表示パネル１０の周囲の、駆動回路群等の配置を適宜調整する。
【００２６】
図３は、このような表示装置１の制御系および駆動系の回路構成例の概略を表したものである。表示装置１は、表示パネル１０，拡散変調素子２２，反射変調素子２３および光源２４をそれぞれ駆動する駆動回路４１，４２，４３，４４（駆動部）と、入力映像信号に対する信号処理および駆動回路４１，４２，４３，４４等の制御を行う制御部３０とを有している。制御部３０にはタイミング調整回路３１が設けられ、このタイミング調整回路３１から駆動回路４１，４２，４３，４４に信号が伝達されて表示パネル１０の表示状態、拡散変調素子２２と反射変調素子２３との入射光に対する作用状態および光源２４の発光状態が決定する。
【００２７】
この表示装置１（図１）では、バックライト２０から出射された光が表示パネル１０に入射し、入力映像信号に応じて選択された画素により、映像表示面１Ａに映像が表示される。バックライト２０では、図４（Ａ）に表したように、拡散変調素子２２が拡散状態２２Ｄ、反射変調素子２３が反射状態２３Ｒのとき、光源２４からの光（光Ｌ１）は導光板２１内を伝播して拡散変調素子２２に入射し、拡散変調素子２２で拡散される。拡散変調素子２２で拡散された光のうち拡散変調素子２２を透過した透過拡散光（図示せず）は反射変調素子２３で反射され、拡散変調素子２２で前面側に出射された反射拡散光と共に表示パネル１０側に射出される。ここでは、反射変調素子２３が入射光に対して透過状態２３Ｔにも切り替えできるため、図４（Ｂ）に表したように光源２４からの光Ｌ１に加えて、バックライト２０（反射変調素子２３）の背面側から入射する光（背面光Ｌ２）も表示パネル１０側への照射光として利用することができる。以下、これについて比較例（比較例１〜３）を用いつつ説明する。
【００２８】
図５（Ａ）は、比較例１に係る表示装置（表示装置１０１）の構成を表したものである。表示装置１０１のバックライトは、導光板２１および導光板２１の背面に密着した反射素子１２３により構成されている。反射素子１２３は白色（不透明）の拡散反射シートである。この反射素子１２３は、導光板２１を伝播した後、例えばドット印刷等により外に取り出された光を、高反射率（例えば、９０％以上）で前面側に導く。即ち、図５（Ｂ）に表したように、表示装置１０１では光源２４から出射された光Ｌ１を表示パネル１０への照射光として効率的に利用することができる。しかしながら、反射素子１２３は常に反射状態であるため、背面光Ｌ２は反射素子１２３に遮蔽されて表示パネル１０側へ透過しない。
【００２９】
比較例２に係る表示装置（表示装置１０２）は、上述の表示装置１０１における反射素子１２３に代え、拡散変調素子２２を配置したものである（図６（Ａ））。この拡散変調素子２２は、表示装置１の拡散変調素子２２と同様に拡散状態２２Ｄと透明状態２２Ｔとの切り替えができ、背面光Ｌ２を利用することも可能となる（図６（Ｂ））。しかしながら、表示装置１０１に比べて光Ｌ１の利用効率は低下する。図７を用い、図６に示した拡散変調素子２２の拡散について説明を補足する。図７は、拡散変調素子２２の背面に透明基板１２５を設け、拡散光の方向を矢印で模式的に表したものである。拡散状態２２Ｄの拡散変調素子２２は光Ｌ１のうち約半分（反射拡散光Ｌ１R）を前面側に導き、残り（透過拡散光Ｌ１T）を背面側に射出する。即ち、表示装置１０２では透過拡散光Ｌ１Tを導光板２１側へ戻すことができず、光量が減ってしまう。なお、実際の拡散光は、完全拡散ではなく方向依存性を有するものであるが、図７では便宜的に反射拡散光Ｌ１Rの総量と透過拡散光Ｌ１Tの総量とが略等しいものとして表している。
【００３０】
比較例３に係る表示装置（表示装置１０３）は、この表示装置１０２の拡散変調素子２２の背面側に上記表示装置１０１の反射素子１２３を設けたものである（図８）。この表示装置１０３では、反射素子１２３により、拡散変調素子２２を透過した透過拡散光を前面側に戻すことができるため、光Ｌ１の利用効率は向上する。しかしながら、拡散変調素子２２が拡散状態２２Ｄであっても（図９（Ａ））、透過状態２２Ｔであっても（図９（Ｂ））、背面光Ｌ２は反射素子１２３に遮蔽され、表示パネル１０側へ透過することができない。また、透過状態２２Ｔでは、導光板２１を伝播した光Ｌ１が拡散変調素子２２には到達するものの、反射素子１２３との界面（空気層）で全反射され、反射素子１２３に入射することができない。即ち、光Ｌ１は導光板２１の内部での全反射を繰り返すため、表示パネル１０側へ取り出すことができず、照射光の光量は低下する。
【００３１】
これに対し、本実施の形態の表示装置１では反射変調素子２３を透過状態２３Ｔにすることができるため、背面光Ｌ２を表示パネル１０側への照射光として利用することができる。また、反射状態２３Ｒに切り替えることで、光源２４からの光Ｌ１を効率的に表示パネル１０側へ導くことも可能となる。
【００３２】
図１０は、拡散変調素子２２の状態を縦軸、反射変調素子２３の状態を横軸として、バックライト２０の取り得る状態を表したものである。第１象限Ｉ（拡散変調素子２２Ｄ，反射変調素子２３Ｒ）の状態では、拡散変調素子２２の透過拡散光が反射変調素子２３により前面側に導かれるため、光源２４からの光Ｌ１を効率良く利用して表示パネル１０側を照射することができる。第２象限ＩＩ（拡散変調素子２２Ｄ，反射変調素子２３Ｔ）では、背面光Ｌ２が反射変調素子２３を透過し、表示パネル１０に入射する。即ち、光源２４からの光Ｌ１と共に背面光Ｌ２を表示パネル１０への照射光として利用可能な状態である。背面光Ｌ２としては例えば外光を利用できる。あるいは、光源２４とは別の光源を背面側に設け、この光源からの光と光源２４からの光Ｌ１を合成して利用するようにしてもよい。第３象限ＩＩＩ（拡散変調素子２２Ｔ，反射変調素子２３Ｔ）は映像表示面１Ａ側から表示パネル１０を介してバックライト２０の背面側が透けて見える状態であり、この状態を用いることにより完全な透明状態を実現することができる。第４象限ＩＶ（拡散変調素子２２Ｔ，反射変調素子２３Ｒ）では、表示パネル１０側から入射した外光を、反射変調素子２３Ｒで反射させて表示パネル１０を照射することができる。即ち、第４象限ＩＶの状態では、表示装置１を反射表示装置として用いることができる。これら第１〜第４象限に加え、駆動回路４１，４２，４３，４４の駆動タイミングや印加電圧の大きさ等を調整することにより、これらの間の中間の状態に設定することも可能となる。
【００３３】
このように、本実施の形態では駆動回路４１，４２，４３，４４によりバックライト２０の光利用形態および変調状態を変化させることができるため、これらの状態を組み合わせて新たな方法で映像を表示させることも可能である。例えば、図１１に表したように、表示パネル１０に画像を表示している状態（表示状態１０Ｂ）、光源２４の点灯状態（点灯状態ＯＮ）、拡散変調素子２２の拡散状態２２Ｄおよび反射変調素子２３の反射状態２３Ｒを同期させる。更に、表示パネル１０に画像が表示されずに入射光がそのまま透過する状態（非表示状態１０Ｗ）、光源２４の消灯状態（消灯状態ＯＦＦ）、拡散変調素子２２の透過状態２２Ｔおよび反射変調素子２３の透過状態２３Ｔを同期させるようにする。このとき、表示状態１０Ｂにある時間を期間ＴB、非表示状態１０Ｗにある時間を期間ＴWとすると、期間ＴBでは光源２４からの光Ｌ１により画像が表示され、期間ＴWでは映像表示面１Ａ側からバックライト２０の背面側が透けて見える状態となる。この期間ＴBと期間ＴWとを繰り返し行い、期間ＴBの長さを徐々に延ばすことにより、完全に表示パネル１０を素通しして背面（背景）が見通せる状態、即ち透明状態から徐々に映像が表示されてくるようになる。このように表示装置１では表示品質を損なうことなくフェードイン表示等の新たな表示方法を提供することができる。
【００３４】
また表示装置１では、外光を利用した反射表示装置として、フェードイン表示を行うことも可能である。図１２に表したように、表示パネル１０の表示状態１０Ｂ、拡散変調素子２２の透過状態２２Ｔおよび反射変調素子２３の反射状態２３Ｒを同期させる（期間ＴB）。更に、表示パネル１０の非表示状態１０Ｗ、拡散変調素子２２の透過状態２２Ｔおよび反射変調素子２３の透過状態２３Ｔを同期させるようにする（期間ＴW）。期間ＴBでは映像表示面１Ａから入射した外光が反射変調素子２３に反射されて画像が表示され、期間ＴWでは映像表示面１Ａ側からバックライト２０の背面側が透けて見える状態となる。この期間ＴBと期間ＴWとを繰り返し行い、期間ＴBの長さを徐々に延ばすことにより、フェードイン表示を行うことができる。
【００３５】
更に、この表示装置１ではマトリクス駆動される拡散変調素子２２を用いることにより、表示パネル１０を非表示状態１０Ｗとしたまま、映像表示を行うことも可能である。反射変調素子２３を反射状態２３Ｒに維持した状態で、拡散変調素子２２の拡散状態２２Ｄと透過状態２２Ｔとをマトリクスごとに切り替え駆動することにより、拡散変調素子２２に画像が表示される。加えて、このように表示パネル１０を非表示状態１０Ｗとしたまま、反射変調素子２３の反射状態２３Ｒと拡散変調素子２２の透過状態２２Ｔとを繰り返し、反射状態２３Ｒである期間の長さを徐々に延ばすことにより、上記と同様にしてフェードイン表示を行うことができる。
【００３６】
以上、本実施の形態では、反射変調素子２３を透過状態２３Ｔに変調できるようにしたので、背面光Ｌ２を表示パネル１０側へ透過させることができる。よって、背面光Ｌ２を表示パネル１０への照射光として利用することが可能となる。また、反射変調素子２３を反射状態２３Ｒ、拡散変調素子２２を拡散状態２２Ｄに切り替えることにより、光源２４からの光Ｌ１を効率的に利用して映像を表示することもできる。
【００３７】
更に、拡散変調素子２２の状態と反射変調素子２３の状態とを様々に組み合わせて、新たな表示方法を提供することも可能である。
【００３８】
以下、上記実施の形態の変形例および他の実施の形態について説明するが、上記実施の形態と共通の構成要素については同一符号を付してその説明は省略する。
【００３９】
〔変形例１〕
上記実施の形態の変形例１に係る表示装置１では、光源２４が赤色を発光する光源２４Ｒ、緑色を発光する光源２４Ｇおよび青色を発光する光源２４Ｂにより構成され、フィールドシーケンシャルカラー（ＦＳＣ）表示を行うことができるようになっている。表示パネル１０の表示素子には無彩色のものを用いる。光源２４を上記赤、緑、青以外の色を発光する光源により構成するようにしてもよい。
【００４０】
フィールドシーケンシャルカラー表示は、時間混色によりカラー画像を表示する方法であり、具体的には、例えば赤色、緑色および青色の光を時間軸で分割し、それぞれの光の平面画像を順次時間の経過と共に表示するものである。この画像を人間の目で認識できない速さで切り替えることにより各色光を弁別不能にし、目の時間方向の積分効果を利用してカラー画像が表示される。
【００４１】
この変形例１に係る表示装置１は、図１３に表したように、表示パネル１０の表示状態１０Ｂ、拡散変調素子２２の拡散状態２２Ｄ、反射変調素子２３の反射状態２３Ｒおよび光源２４Ｒ，２４Ｇ，２４Ｂの点灯状態ＯＮのタイミングを同期させることにより、フィールドシーケンシャルカラー表示を行うものである。表示パネル１０の表示素子、拡散変調素子２２および反射変調素子２３の応答時間が互いに異なる場合、応答済のタイミングが一致するように表示パネル１０、拡散変調素子２２および反射変調素子２３を駆動する。例えば、表示パネル１０は時間ｔR1，ｔG1，ｔB1でデータが書き込まれ、時間ｔR2，ｔG2，ｔB2で応答済の状態（表示状態１０Ｂ）となる。拡散変調素子２２および反射変調素子２３は、この時間ｔR2，ｔG2，ｔB2に応答済の状態（拡散状態２２Ｄ，反射状態２３Ｒ）となるように駆動される。光源２４Ｒ，２４Ｇ，２４Ｂは、それぞれが単独で発光してもよく、あるいは、色度表示に応じて２つの光源を同時に発光させて混色することにより、色合いを調整するようにしてもよい。
【００４２】
光源２４Ｒ，２４Ｇ，２４Ｂは、この表示パネル１０、拡散変調素子２２および反射変調素子２３が応答済となる時間ｔR2，ｔG2，ｔB2から非表示状態１０Ｗとなる時間ｔR3，ｔG3，ｔB3までの期間（期間ＴR，ＴG，ＴB）の少なくとも一部の間、点灯状態ＯＮとなっていればよい。例えば、時間ｔR2，ｔG2，ｔB2に光源２４Ｒ，２４Ｇ，２４Ｂが点灯状態ＯＮとなってもよく（図１３）、あるいは図１４に表したように時間ｔR2，ｔG2，ｔB2よりも後に点灯状態ＯＮになってもよい。
【００４３】
〔変形例２〕
上記実施の形態の変形例２に係る表示装置１は、背面光Ｌ２として外光を利用する際にこの外光の色度補正を行う機能を有するものである。
【００４４】
この表示装置１には、図１５に表したように外光補正処理部５０および外光検出器６０が設けられている。外光検出器６０は光を検出するセンサであり、例えば筐体（図示せず）の外側等の外光を検出可能な位置に設けられている。この外光検出器６０は、表示装置１の下面以外の複数の面（例えば、上面、側面、映像表示面１Ａの枠部分および背面）に設けるようにしてもよく、あるいは上面（天面）等の一つの面に設けるようにしてもよい。例えば、外光検出器６０を下面以外の全ての面に設け、どの方向からより多く光が入射するのかを検知し、これらの出力をＯＲ処理して平均的環境光の色度を求めるようにしてもよい。外光検出器６０を一つの面にのみ設ける場合には、例えば凸レンズ等と組み合わせて、より広範囲の光を受光できるようにすることが好ましい。外光補正処理部５０は、解析部５１、比較部５２、算出部５３および調整部５４を含んでいる。
【００４５】
この表示装置１では、外光検出器６０により外光が検知され、その色度および輝度が解析部５１で計測される。この色度および輝度と、予め設定しておいた所定の白色の色度および輝度とを比較部５２で比べ、適切な色表示のために不足している色およびその度合いを算出部５３で導く。この算出部５３の情報が調整部５４に伝達され、光源２４の各色光の発光量が補填可能な範囲内で調整される。表示装置１がこのような外光補正機能を有することにより、外光を利用し、かつ品質の高い表示を行うことができる。
【００４６】
〔第２の実施の形態〕
図１６は、本技術の第２の実施の形態に係る表示装置（表示装置２）の側断面構成を表したものである。この表示装置２のバックライト２０Ａは、上記第１の実施の形態の反射変調素子２３に代えて、反射変調素子２３Ａを有している。この反射変調素子２３Ａは、反射状態２３Ｒにおいて拡散反射するものである。その点を除き、表示装置２は表示装置１と同様の構成を有し、その作用および効果も同様である。
【００４７】
反射変調素子２３Ａは、反射変調素子２３と同様に入射光に対する作用を反射状態２３Ｒと透過状態２３Ｔとの間で変調可能なものであるが、反射状態２３Ｒでは前面側（拡散変調素子２２側）から入射して光を拡散反射する。反射変調素子２３Ａは、反射状態２３Ｒと透過状態２３Ｔとを例えば電気的に切り替え可能なもの、具体的にはＰＤＬＣ等である。即ち、反射変調素子２３Ａは、例えば拡散変調素子２２と同様にポリマーに液晶分子を分散させた光変調層を有している（図２）。
【００４８】
図１７は、拡散変調素子２２が拡散状態２２Ｄ、反射変調素子２３Ａが反射状態２３Ｒの場合の光源２４からの光Ｌ１の経路を模式的に表したものである。光Ｌ１は拡散変調素子２２により散乱され前面側には反射拡散光Ｌ１R、背面側には透過拡散光Ｌ１Tが出射される。この透過拡散光Ｌ１Tを反射状態２３Ｒの反射変調素子２３Ａが拡散反射し、前面側に反射拡散光（Ｌ１T）RAを出射すると共に背面側には透過拡散光（Ｌ１T）TAを射出する。即ち、バックライト２０Ａは光Ｌ１のうち、表示パネル１０側に反射拡散光Ｌ１Rおよび反射拡散光（Ｌ１T）RAを照射し、背面側には透過拡散光（Ｌ１T）TAを透過させる。例えば、拡散変調素子２２および反射変調素子２３Ａが共に、入射光のうち５０％を前面側に戻し、残りの５０％を背面側に透過させるものである場合、入射光（例えば、光Ｌ１）の光量の７５％が前面側、２５％が背面側に出射される。反射状態２３Ｒの反射変調素子２３Ａの白濁度を拡散状態２２Ｄの拡散変調素子２２の白濁度よりも大きくすることにより、前面側に出射される光量を増加させることができる。このように、拡散変調素子２２および反射変調素子２３Ａの白濁度を調整することにより、前面側、背面側に出射する光量の比を変化させることができる。
【００４９】
〔第３の実施の形態〕
図１８は、本技術の第３の実施の形態に係る表示装置（表示装置３）の側断面構成を表したものである。この表示装置３のバックライト２０Ｂは、上記第１の実施の形態の拡散変調素子２２と反射変調素子２３との間に吸光変調素子２５を有するものであり、この吸光変調素子２５は、入射光の吸光度を変調可能なものである。その点を除き、表示装置３は表示装置１と同様の構成を有し、その作用および効果も同様である。
【００５０】
吸光変調素子２５は、入射光に対する作用を吸収状態２５Ａ（第５状態）と透過状態２５Ｔ（第６状態）との間で変調可能なものであり、具体的には、例えば、エレクトロクロミック方式により電気的に変調されるものである。印加電圧の大きさにより、これらの間の状態を複数設定することも可能である。この吸光変調素子２５を有するバックライト２０Ｂでは、主に表示装置３を反射表示装置として使用する場合にコントラスト比（ＣＲ）を向上させることができる。
【００５１】
図１９（Ａ）に表したように、拡散変調素子２２が拡散状態２２Ｄ、吸光変調素子２５が透過状態２５Ｔ、反射変調素子２３が反射状態２３Ｒのとき、映像表示面１Ａ側から入射した外光Ｌ３は、表示パネル１０、拡散変調素子２２、吸光変調素子２５を透過した後、反射変調素子２３で反射されて再び映像表示面１Ａ側に出射される。一方、図１９（Ｂ）に表したように、拡散変調素子２２が透過状態２２Ｔ、吸光変調素子２５が吸収状態２５Ａ、反射変調素子２３が反射状態２３Ｒのとき、映像表示面１Ａ側から入射した外光Ｌ３は、表示パネル１０、拡散変調素子２２を透過すると吸光変調素子２５で吸収されるため、反射変調素子２３で反射される外光Ｌ３の光量は、図１９（Ａ）と比較して少なくなる。即ち、反射変調素子２３を反射状態２３Ｒに維持したまま、拡散変調素子２２の拡散状態２２Ｄおよび吸光変調素子２５の透過状態２５Ｔと、拡散変調素子２２の透過状態２２Ｔおよび吸光変調素子２５の吸収状態２５Ａとを切り替えることにより、コントラスト比（ＣＲ）を向上させることができる。
【００５２】
〔適用例〕
以下、上記実施の形態および変形例で説明した表示装置の適用例について説明する。上記実施の形態等の表示装置は、テレビジョン装置，ノート型パーソナルコンピュータ等の携帯端末装置あるいはビデオカメラなど、外部から入力された映像信号あるいは内部で生成した映像信号を、画像あるいは映像として表示するあらゆる分野の電子機器の表示装置に適用することが可能である。
【００５３】
（適用例１）
図２０は、上記実施の形態等の表示装置が適用されるテレビジョン装置の外観を表したものである。このテレビジョン装置は、例えば、フロントパネル３１０およびフィルターガラス３２０を含む映像表示画面部３００を有しており、この映像表示画面部３００は、上記実施の形態等に係る表示装置により構成されている。
【００５４】
（適用例２）
図２１は、上記実施の形態等の表示装置が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、上記実施の形態等に係る表示装置により構成されている。
【００５５】
（適用例３）
図２２は、上記実施の形態等の表示装置が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、上記実施の形態等に係る表示装置により構成されている。
【００５６】
以上、実施の形態および変形例を挙げて本技術を説明したが、本技術は上記実施の形態等に限定されるものではなく、種々変形可能である。例えば、上記実施の形態等では、拡散変調素子２２および反射変調素子２３Ａが電気的に変調可能である場合について説明したが、電気以外の方法、例えば、磁気的手段やＭＥＭＳ（Micro Electro Mechanical Systems）等の技術を用いた機械的手段により変調可能なものであってもよい。
【００５７】
また、例えば、上記実施の形態等において説明した各部の材料などは限定されるものではなく、他の材料および厚みとしてもよい。
【００５８】
加えて、上記第３の実施の形態では、拡散変調素子、反射変調素子に加えて、吸光変調素子を設けた場合について例示したが、吸光変調素子以外の変調素子を設けるようにしてもよい。
【００５９】
なお、本技術は、以下のような構成も可能である。
（１）表示パネルおよび前記表示パネルを照明する照明装置を備え、前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有する表示装置。
（２）前記反射変調素子を第３状態と第４状態との間で電気的に変調させる前記（１）記載の表示装置。
（３）前記拡散変調素子を第１状態と第２状態との間で電気的に変調させる前記（１）または（２）記載の表示装置。
（４）前記反射変調素子は第３状態において前記拡散変調素子の透過拡散光を鏡面反射する前記（１）乃至（３）のうちいずれか１つに記載の表示装置。
（５）前記拡散変調素子はポリマーに液晶分子を分散させた光変調層を有する前記（１）乃至（４）のうちいずれか１つに記載の表示装置。
（６）前記反射変調素子は、ポリマーに液晶分子を分散させた光変調層を有し、前記拡散変調素子の透過拡散光を第３状態において拡散反射する前記（５）記載の表示装置。
（７）前記反射変調素子の第３状態の白濁度は、前記拡散変調素子の第１状態の白濁度よりも大きい前記（６）記載の表示装置。
（８）前記拡散変調素子および前記反射変調素子の作用状態を、前記拡散変調素子の第１状態と前記反射変調素子の第３状態、前記拡散変調素子の第１状態と前記反射変調素子の第４状態、前記拡散変調素子の第２状態と前記反射変調素子の第３状態、および前記拡散変調素子の第２状態と前記反射変調素子の第４状態の組み合わせのうちのいずれかになるように設定する前記（１）乃至（７）のうちいずれか１つに記載の表示装置。
（９）前記表示パネルおよび前記照明装置を映像信号に基づいて駆動する駆動部を有し、前記駆動部は、前記拡散変調素子の第１状態および前記反射変調素子の第３状態を同期させる前記（１）乃至（８）のうちいずれか１つに記載の表示装置。
（１０）前記駆動部は、前記拡散変調素子の第２状態および前記反射変調素子の第４状態を同期させ、前記拡散変調素子の第１状態および前記反射変調素子の第３状態と前記拡散変調素子の第２状態および前記反射変調素子の第４状態とを交互に繰り返しながら徐々に前記拡散変調素子の第１状態および前記反射変調素子の第３状態の期間を延ばすことにより、前記表示パネルに映像を浮かび上がらせる前記（９）記載の表示装置。
（１１）前記拡散変調素子と前記反射変調素子との間に吸光変調素子を有し、前記吸光変調素子は、前記表示パネル側から入射した光を吸収する第５状態と前記表示パネル側から入射した光を前記反射変調素子側に透過する第６状態との間で変調可能な吸光変調素子を有する前記（１）乃至（１０）のうちいずれか１つに記載の表示装置。
（１２）前記表示パネルおよび前記照明装置を映像信号に基づいて駆動する駆動部を有し、前記駆動部は、前記拡散変調素子の第２状態および前記反射変調素子の第３状態を同期させる前記（１）乃至（１１）のうちいずれか１つに記載の表示装置。
（１３）前記駆動部は、前記拡散変調素子の第２状態および前記反射変調素子の第４状態を同期させ、前記拡散変調素子の第２状態および前記反射変調素子の第３状態と前記拡散変調素子の第２状態および前記反射変調素子の第４状態とを交互に繰り返しながら徐々に前記拡散変調素子の第２状態および前記反射変調素子の第３状態の期間を延ばすことにより、前記表示パネルに映像を浮かび上がらせる前記（１２）記載の表示装置。
（１４）前記拡散変調素子はマトリクス駆動され、前記表示パネルおよび前記照明装置を映像信号に基づいて駆動する駆動部を有し、前記駆動部は、前記反射変調素子を第３状態に維持したまま前記拡散変調素子の第１状態と第２状態とをマトリクスごとに切り替え駆動することにより、前記拡散変調素子に映像を表示させる前記（１）乃至（７）のうちいずれか１つに記載の表示装置。
（１５）前記拡散変調素子はマトリクス駆動され、前記表示パネルおよび前記照明装置を映像信号に基づいて駆動する駆動部を有し、前記駆動部は、前記反射変調素子の第３状態と第４状態とを繰り返しながら徐々に第３状態の期間を延ばすと共に、前記拡散変調素子の第１状態と第２状態とを切り替えて前記拡散変調素子に映像を表示させることにより、前記拡散変調素子に映像を浮かび上らせる前記（１４）記載の表示装置。
（１６）外光検出部を有し、前記外光検出部への入射光を解析して前記光源の出射光を補正する外光補正処理部を有する前記（１）乃至（１５）のうちいずれか１つに記載の表示装置。
（１７）前記反射変調素子の背面から外光が入射する前記（１）乃至（１５）のうちいずれか１つに記載の表示装置。
（１８）前記反射変調素子の背面側に導光体が設けられた前記（１）乃至（１６）のうちいずれか１つに記載の表示装置。
（１９）側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有し、前記導光板側から光を出射する照明装置。
（２０）表示装置を備え、前記表示装置は、表示パネルおよび前記表示パネルを照明する照明装置を備え、前記照明装置は、前記表示パネル側から、その側面に光源を有する導光板と、前記光源からの光を拡散する第１状態と背面側からの入射光を前面側に透過する第２状態との間で変調可能な拡散変調素子と、前記拡散変調素子の透過拡散光を前面側に反射する第３状態と背面側からの入射光を前面側に透過する第４状態との間で変調可能な反射変調素子と、をこの順に有する
電子機器。
【符号の説明】
【００６０】
１，２・・・表示装置、１０・・・表示パネル、２０，２０Ａ・・・バックライト、２１・・・導光板、２２・・・拡散変調素子、２２１，２２７・・・透明基板、２２２・・・下側電極、２２３，２２５・・・配向膜、２２４・・・光変調層、２２４Ａ・・・バルク、２２４Ｂ・・・微粒子、２２６・・・上側電極、２３，２３Ａ・・・反射変調素子、２４・・・光源、２５・・・吸光変調素子、３０・・・制御部、３１・・・タイミング調整回路、４１，４２，４３，４４・・・駆動回路、５０・・・外光補正処理部、５１・・・解析部、５２・・・比較部、５３・・・算出部、５４・・・調整部、６０・・・外光検出器。
【図１】
0005817989.tif 000002
【図２】
0005817989.tif 000003
【図３】
0005817989.tif 000004
【図４】
0005817989.tif 000005
【図５】
0005817989.tif 000006
【図６】
0005817989.tif 000007
【図７】
0005817989.tif 000008
【図８】
0005817989.tif 000009
【図９】
0005817989.tif 000010
【図１０】
0005817989.tif 000011
【図１１】
0005817989.tif 000012
【図１２】
0005817989.tif 000013
【図１３】
0005817989.tif 000014
【図１４】
0005817989.tif 000015
【図１５】
0005817989.tif 000016
【図１６】
0005817989.tif 000017
【図１７】
0005817989.tif 000018
【図１８】
0005817989.tif 000019
【図１９】
0005817989.tif 000020
【図２０】
0005817989.tif 000021
【図２１】
0005817989.tif 000022
【図２２】
0005817989.tif 000023